(57)【要約】【課題】灯動変圧器の施工性を向上させることのできる灯動変圧器盤及び高圧受電設備を提供する。【解決手段】灯動変圧器盤６０は、灯動変圧器７０と、低圧端子台８０〜８３とを備える。灯動変圧器７０は、一次側端子７２０〜７２２に供給される交流電力を単相負荷に供給可能な単相交流電力、及び三相負荷に供給可能な三相交流電力に変換して二次側端子７３０〜７３３から出力する。低圧端子台８０〜８３は、灯動変圧器７０の二次側端子７３０〜７３３に低圧配線７４０〜７４３を介して接続されている。灯動変圧器７０、及び低圧端子台８０〜８３はユニット化されている。【選択図】図２
2019068495.tif 000002
【特許請求の範囲】
【請求項１】
一次側端子に供給される交流電力を、単相負荷に供給可能な単相交流電力、及び三相負荷に供給可能な三相交流電力に変換して二次側端子から出力する灯動変圧器と、
前記灯動変圧器の二次側端子に配線を介して接続される低圧端子台と、を備え、
前記灯動変圧器、及び前記低圧端子台がユニット化されている
灯動変圧器盤。
【請求項２】
前記灯動変圧器を内部に収容するとともに、前記灯動変圧器、及び前記低圧端子台が一体的に組み付けられる収容部材を更に備え、
前記灯動変圧器、及び前記低圧端子台は、前記収容部材によりユニット化されている
請求項１に記載の灯動変圧器盤。
【請求項３】
前記収容部材は、
直方体の枠状に形成され、前記灯動変圧器を内部に収容する外枠部と、
前記外枠部に設けられ、前記灯動変圧器が取り付けられる変圧器取付部と、
前記外枠部に設けられ、前記低圧端子台が取り付けられる端子取付部と、を備える
請求項２に記載の灯動変圧器盤。
【請求項４】
前記変圧器取付部と前記灯動変圧器との間に配置される防振部材を更に備える
請求項３に記載の灯動変圧器盤。
【請求項５】
前記収容部材は、
盤を吊り上げるための道具を連結することの可能な連結部を更に備える
請求項２〜４のいずれか一項に記載の灯動変圧器盤。
【請求項６】
前記灯動変圧器により前記単相負荷に供給可能な単相交流電圧、及び前記三相負荷に供給可能な三相交流電圧を計測する電圧計を更に備え、
前記収容部材は、
前記電圧計が取り付けられる電圧計取付部を更に備える
請求項２〜５のいずれか一項に記載の灯動変圧器盤。
【請求項７】
請求項１〜６のいずれか一項に記載の灯動変圧器盤を備える
高圧受電設備。
【発明の詳細な説明】
【技術分野】
【０００１】
本開示は、灯動変圧器盤及び高圧受電設備に関する。
【背景技術】
【０００２】
従来、特許文献１に記載の受電設備がある。特許文献１に記載の受電設備は、開閉器と、コンデンサと、電灯変圧器と、動力変圧器とを備えている。コンデンサ、電灯変圧器、及び動力変圧器には、開閉器を介して電力が供給される。コンデンサ、電灯変圧器、及び動力変圧器は、互いに並列に接続されている。コンデンサは、電灯変圧器、及び動力変圧器のそれぞれの高圧側に供給される電力の力率を改善する。
【先行技術文献】
【特許文献】
【０００３】
【特許文献１】特開２００８−２８３８２０号公報
【発明の概要】
【発明が解決しようとする課題】
【０００４】
ところで、特許文献１に記載されるような高圧受電設備では、需要者の要望に合わせて、変圧器等の要素の種類や数を適宜変更することが可能である。例えば図５に示される高圧受電設備２００のように、１つの断路器２０１と、１つの高圧コンデンサ２０２と、２つの電灯変圧器２０３，２０４と、１つの動力変圧器２０５とを備える構造を採用することも可能である。このような高圧受電設備２００によれば、２つの電灯負荷、及び１つの動力負荷に電力を供給することが可能である。
【０００５】
一方、図５に示される高圧受電設備２００が電気室２１０等の屋内に設けられている場合、その入れ替えの際に、特に一括受電契約を伴う工事では、断路器２０１に代えて高圧受電盤を設ける必要がある。したがって、高圧受電盤を配置するためのスペースを電気室２１０内に新たに確保する必要がある。このような場合、例えば図５に示されるような高圧受電設備２００では、１つの電灯変圧器２０４と１つの動力変圧器２０５とに代えて、それらの機能を併せ持つ灯動変圧器を用いることにより１つの機器の分のスペースを確保した上で、そのスペースに高圧受電盤を配置するといった対応を取ることが考えられる。
【０００６】
しかしながら、電灯変圧器２０４及び動力変圧器２０５に代えて灯動変圧器を用いる場合、電気室２１０内への灯動変圧器の設置に加え、灯動変圧器の二次側の配線や、灯動変圧器に対応した低圧端子台の設置等の施工を現地で行う必要がある。これが施工性の悪化を招く要因となっており、例えば施工時間が長時間に及んだり、配線の取り回しを誤ったりする等の各種問題を生じさせている。
【０００７】
本開示は、こうした実情に鑑みてなされたものであり、その目的は、灯動変圧器の施工性を向上させることのできる灯動変圧器盤及び高圧受電設備を提供することにある。
【課題を解決するための手段】
【０００８】
上記課題を解決する灯動変圧器盤は、一次側端子に供給される交流電力を、単相負荷に供給可能な単相交流電力、及び三相負荷に供給可能な三相交流電力に変換して二次側端子から出力する灯動変圧器と、灯動変圧器の二次側端子に配線を介して接続される低圧端子台と、を備え、灯動変圧器、及び低圧端子台がユニット化されている。
【０００９】
この灯動変圧器盤では、灯動変圧器と低圧端子台とが配線された状態でユニット化されているため、このユニット化された灯動変圧器盤を所要の場所に設置するだけで、灯動変圧器盤の施工が完了する。そのため、従来の灯動変圧器の施工の際に必要であった作業、具体的には灯動変圧器と低圧端子台とを配線を介して接続する作業や、低圧端子台を設置する作業等が不要となる。よって、灯動変圧器の施工性を向上させることができる。
【００１０】
上記の灯動変圧器盤は、灯動変圧器を内部に収容するとともに、灯動変圧器、及び低圧端子台が一体的に組み付けられる収容部材を更に備え、灯動変圧器、及び低圧端子台は、収容部材によりユニット化されていることが望ましい。
この構成によれば、灯動変圧器及び低圧端子台を容易にユニット化することができる。
【００１１】
上記の灯動変圧器盤では、収容部材が、直方体の枠状に形成され、灯動変圧器を内部に収容する外枠部と、外枠部に設けられ、灯動変圧器が取り付けられる変圧器取付部と、外枠部に設けられ、低圧端子台が取り付けられる端子取付部と、を備えることが望ましい。
この構成によれば、外枠部に変圧器取付部と端子取付部とを設けるだけで、灯動変圧器及び低圧端子台をユニットか可能な収容部材を容易に実現することができる。
【００１２】
上記の灯動変圧器盤は、変圧器取付部と灯動変圧器との間に配置される防振部材を更に備えることが望ましい。
この構成によれば、灯動変圧器の防振性を向上させることができる。
【００１３】
上記の灯動変圧器盤では、収容部材が、盤を吊り上げるための道具を連結することの可能な連結部を更に備えることが望ましい。
この構成によれば、灯動変圧器及び低圧端子台がユニット化された灯動変圧器盤を、盤を吊り上げるための道具により容易に吊り上げることができるため、灯動変圧器盤の運搬が容易になる。
【００１４】
上記の灯動変圧器盤は、灯動変圧器により単相負荷に供給可能な単相交流電圧、及び三相負荷に供給可能な三相交流電圧を計測する電圧計を更に備え、収容部材が、電圧計が取り付けられる電圧計取付部を更に備えることが望ましい。
この構成によれば、電圧計を設置する作業が更に不要になるため、施工性を一層向上させることができる。
【００１５】
上記課題を解決する高圧受電設備は、上記の灯動変圧器盤を備える。
上記のような施工性に優れた灯動変圧器を高圧受電設備に用いることにより、高圧受電設備全体の施工性を更に向上させることができる。
【発明の効果】
【００１６】
本開示によれば、灯動変圧器の施工性を向上させることの可能な灯動変圧器盤及び高圧受電設備を提供できる。
【図面の簡単な説明】
【００１７】
【図１】図１は、実施形態の高圧受電設備の概略構成を示すブロック図である。
【図２】図２は、実施形態の灯動変圧器盤の斜視構造を示す斜視図である。
【図３】図３は、実施形態の灯動変圧器盤の正面構造を示す正面図である。
【図４】図４は、実施形態の灯動変圧器盤の側面構造を示す側面図である。
【図５】図５は、参考例の高圧受電設備の概略構成を示すブロック図である。
【発明を実施するための形態】
【００１８】
以下、高圧受電設備及び灯動変圧器盤の一実施形態について図面を参照しながら説明する。説明の理解を容易にするため、各図面において同一の構成要素に対しては可能な限り同一の符号を付して、重複する説明は省略する。はじめに、図１を参照して、本実施形態の高圧受電設備の概要について説明する。
【００１９】
図１に示されるように、高圧受電設備２０は、例えばオフィスビルやマンションに設けられる電気室１０内に設置されている。高圧受電設備２０は、電力会社等から供給される高圧の電力を、需要家の負荷設備の仕様にあった電圧や周波数に変換する。高圧受電設備２０は、高圧受電盤３０と、高圧コンデンサ盤４０と、電灯変圧器盤５０と、灯動変圧器盤６０とを備えている。
【００２０】
高圧受電盤３０は、電力系統から高圧配線１１を介して供給される高圧の交流電力を受電するとともに、受電した高圧の交流電力を高圧母線３１ｒ，３１ｓ，３１ｔを介して高圧コンデンサ盤４０、電灯変圧器盤５０、及び灯動変圧器盤６０に供給する。高圧コンデンサ盤４０，電灯変圧器盤５０、及び灯動変圧器盤６０は、高圧受電盤３０に対して電気的に並列に接続されている。高圧受電盤３０は、例えば高圧コンデンサ盤４０、電灯変圧器盤５０、及び灯動変圧器盤６０への電力の供給及び遮断を切り替えることが可能となっている。高圧受電盤３０は、通常は高圧コンデンサ盤４０、電灯変圧器盤５０、及び灯動変圧器盤６０に電力を供給しているが、例えば何らかの異常が発生したような場合に、それらへの電力の供給を遮断する。
【００２１】
高圧コンデンサ盤４０は、開閉器からなる高圧カットアウト４１ｒ，４１ｓ，４１ｔ、及び高圧配線４２ｒ，４２ｓ，４２ｔを介して高圧母線３１ｒ，３１ｓ，３１ｔに電気的に接続されている。高圧コンデンサ盤４０は、遅れ無効電力を吸収することにより力率を改善する。
【００２２】
電灯変圧器盤５０は、開閉器からなる高圧カットアウト５１ｒ，５１ｓ、及び高圧配線５２ｒ，５２ｓを介して高圧母線３１ｒ，３１ｓに電気的に接続されている。電灯変圧器盤５０は、いわゆる単相変圧器であり、高圧配線５２ｒ，５２ｓから供給される高圧の単相交流電力を低圧の単相交流電力に変換して出力する。
【００２３】
灯動変圧器盤６０は、開閉器からなる高圧カットアウト６１ｒ，６１ｓ，６１ｔ、及び高圧配線６２ｒ，６２ｓ，６２ｔを介して高圧母線３１ｒ，３１ｓ，３１ｔに電気的に接続されている。灯動変圧器盤６０は、高圧配線６２ｒ，６２ｓ，６２ｔから供給される高圧の三相交流を、単相負荷に供給可能な低圧の単相交流電力、及び三相負荷に供給可能な低圧の三相交流電力に変換して出力する。
【００２４】
このように、本実施形態の高圧受電設備２０は、電灯変圧器盤５０及び灯動変圧器盤６０により２つの単相負荷に電力を供給することが可能であるとともに、灯動変圧器盤６０により１つの三相負荷に電力を供給することが可能となっている。
次に、図２〜図４を参照して、灯動変圧器盤６０の構造について詳しく説明する。
【００２５】
図２に示されるように、灯動変圧器盤６０は、灯動変圧器７０と、４つの低圧端子台８０〜８３と、収容部材９０と、２つの電圧計１００，１０１とを備えている。
灯動変圧器７０の上面７１には、３つの一次側端子７２０〜７２２と、４つの二次側端子７３０〜７３３とが設けられている。３つの一次側端子７２０〜７２２には、図１に示される高圧配線６２ｒ，６２ｓ，６２ｔがそれぞれ接続される。すなわち、一次側端子７２０〜７２２には、高圧配線６２ｒ，６２ｓ，６２ｔを介して高圧の三相交流が供給される。灯動変圧器７０は、一次側端子７２０〜７２２に供給される高圧の三相交流を低圧の単相交流電力及び低圧の三相交流電力に変換して二次側端子７３０〜７３３から出力する。図３及び図４に示されるように、灯動変圧器７０の底部には、互いに平行に配置されるＬ字状の一対の足部７４，７５が設けられている。
【００２６】
図２に示されるように、収容部材９０は、灯動変圧器７０を内部に収容するとともに、灯動変圧器７０及び低圧端子台８０〜８３が一体的に組み付けられている。収容部材９０は、外枠部９１と、変圧器取付部９２と、端子取付部９３と、電圧計取付部９４とを備えている。収容部材９０は、金属により形成されている。
【００２７】
外枠部９１は、直方体の枠状に形成されている。外枠部９１は、灯動変圧器７０よりも大きく形成されており、その内部に灯動変圧器７０を収容可能となっている。外枠部９１の上面の四隅には、ワイヤ等の盤を吊り上げるための道具を連結することの可能な連結部９５がそれぞれ形成されている。
【００２８】
変圧器取付部９２は、外枠部９１の底面に設けられている。変圧器取付部９２は、互いに平行に配置される一対の梁部材９２０，９２１からなる。一方の梁部材９２０には、防振部材１１０を介して灯動変圧器７０の一方の足部７４が取り付けられるとともに、他方の梁部材９２１には、防振部材１１１を介して灯動変圧器７０の他方の足部７５が取り付けられている。これらの防振部材１１０，１１１により、収容部材９０から灯動変圧器７０に伝達される振動を抑制することが可能となっている。
【００２９】
端子取付部９３は、外枠部９１の前面の略中央に設けられている。端子取付部９３は、外枠部９１の前面を横切るように配置される長板状の部材からなる。端子取付部９３には、４つの低圧端子台８０〜８３が長手方向に所定の間隔を有して並ぶように取り付けられている。端子取付部９３には、各低圧端子台８０〜８３を覆うようにカバー９３０〜９３３が設けられている。
【００３０】
電圧計取付部９４は、端子取付部９３の上方に設けられている。電圧計取付部９４は、外枠部９１の前面における端子取付部９３の上方の部分を覆うように設けられる平板状の部材からなる。電圧計取付部９４には、電圧計１００，１０１が取り付けられている。電圧計１００，１０１は、灯動変圧器７０により単相負荷に供給可能な単相交流電圧、及び三相負荷に供給可能な三相交流電圧をそれぞれ計測するとともに、計測された電圧を視認可能に表示する。
【００３１】
図２〜図４に示されるように、低圧端子台８０〜８３には、低圧配線７４０〜７４３を介して灯動変圧器７０の二次側端子７３０〜７３３がそれぞれ電気的に接続されている。したがって、灯動変圧器７０により変換された低圧の単相交流電力及び低圧の三相交流電力は、低圧配線７４０〜７４３を介して４つの低圧端子台８０〜８３に供給されている。よって、４つの低圧端子台８０〜８３のうち、２つの低圧端子台に配線を介して単相負荷を電気的に接続することにより、単相負荷への電力の供給が可能となる。また、３つの低圧端子台に配線を介して三相負荷を電気的に接続することにより、三相負荷への電力の供給も可能となる。
【００３２】
次に、本実施形態の高圧受電設備２０の施工方法について説明する。
例えば図５に示されるような高圧受電設備２００の配置を図１の配置に変更する場合、まず、電灯変圧器２０３及び動力変圧器２０５を取り除くことにより２つの機器に相当するスペースを確保する。そして、一方の機器のスペースに高圧受電盤３０を設置した上で、他方の機器のスペースに本実施形態の灯動変圧器盤６０を配置する。その際、灯動変圧器盤６０の連結部９５にワイヤ等の盤を吊り上げるための道具を連結した後、この道具を介して灯動変圧器盤６０をクレーン機器等で吊り上げることにより、灯動変圧器盤６０を電気室１０内の所要の位置に容易に配置することができる。その後、高圧受電盤３０に高圧配線１１及び高圧母線３１ｒ，３１ｓ，３１ｔを接続するとともに、灯動変圧器盤６０に高圧配線４２ｒ，４２ｓ，４２ｔを接続することにより、高圧受電設備２０の施工が完了する。
【００３３】
以上説明した本実施形態の灯動変圧器盤６０によれば、以下の（１）〜（６）に示される作用及び効果を得ることができる。
（１）本実施形態の灯動変圧器盤６０では、灯動変圧器７０と低圧端子台８０〜８３とが配線された状態でユニット化されているため、このユニット化された灯動変圧器盤６０を電気室１０内の所要の場所に配置するだけで、灯動変圧器盤６０の施工が完了する。そのため、従来の灯動変圧器の施工の際に必要であった作業、具体的には灯動変圧器と低圧端子台とを配線を介して接続する作業や、低圧端子台を設置する作業が不要となる。よって、灯動変圧器盤６０の施工性を向上させることができる。
【００３４】
（２）灯動変圧器７０及び低圧端子台８０〜８３は、収容部材９０によりユニット化されている。収容部材９０は、灯動変圧器７０を内部に収容する外枠部９１と、灯動変圧器７０が取り付けられる変圧器取付部９２と、低圧端子台８０〜８３が取り付けられる端子取付部９３とを備える。これにより、灯動変圧器７０及び低圧端子台８０〜８３を容易にユニット化することができる。
【００３５】
（３）灯動変圧器盤６０は、変圧器取付部９２と灯動変圧器７０との間に配置される防振部材１１０，１１１を更に備える。これにより、灯動変圧器７０の防振性を高めることができる。
（４）収容部材９０は、ワイヤ等の盤を吊り上げるための道具を連結することの可能な連結部９５を更に備える。これにより、灯動変圧器７０及び低圧端子台８０〜８３がユニット化された灯動変圧器盤をワイヤ等の道具により容易に吊り上げることができるため、灯動変圧器盤６０の運搬が容易になる。
【００３６】
（５）収容部材９０は、電圧計１００，１０１が取り付けられる電圧計取付部９４を更に備える。これにより、電圧計１００，１０１を設置する作業が更に不要となるため、施工性を一層向上させることができる。
（６）本実施形態のような優れた施工性を有する灯動変圧器盤６０を高圧受電設備２０に用いることにより、高圧受電設備２０全体の施工性を向上させることができる。
【００３７】
なお、上記実施形態は、以下の形態にて実施することもできる。
・灯動変圧器盤６０には、防振部材１１０，１１１が設けられていなくてもよい。すなわち、変圧器取付部９２に灯動変圧器７０が直接取り付けられていてもよい。
【００３８】
・灯動変圧器盤６０には、電圧計１００，１０１に限らず、例えば灯動変圧器７０により単相負荷に供給可能な単相交流電流や、三相負荷に供給可能な三相交流電流を計測する電流計が設けられていてもよい。
・高圧受電設備２０の構造は適宜変更可能である。例えば高圧受電設備２０には、高圧コンデンサ盤４０や電灯変圧器盤５０が設けられていなくてもよい。
【００３９】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４０】
２０：高圧受電設備
６０：灯動変圧器盤
７０：灯動変圧器
８０〜８３：低圧端子台
９０：収容部材
９１：外枠部
９２：変圧器取付部
９３：端子取付部
９４：電圧計取付部
９５：連結部
１００，１０１：電圧計
１１０，１１１：防振部材
７２０〜７２２：一次側端子
７３０〜７３３：二次側端子
７４０〜７４３：低圧配線
【図１】
2019068495.tif 000003
【図２】
2019068495.tif 000004
【図３】
2019068495.tif 000005
【図４】
2019068495.tif 000006
【図５】
2019068495.tif 000007